(57)【要約】【課題】  ビールを注いでいる間に流出中のビールにビール泡が混入してしまうことのないビールコックを提供する。【解決手段】  ビールを流出させる状態、ビール泡７７を流出させる状態、及びビールとビール泡７７とを流出させない状態とに選択的に切替え可能なビールコック３３において、ビールが流入しビール又はビール泡７７が流出するボディ４３が設けられ、このボディ４３には、ビールを流出させるためのビール流出穴４３ｃと、ビール泡７７を流出させるためのビール泡流出穴４３ｄと、が隣接して形成され、ビール泡７７が流出するボディ４３の第一の開口部４３ｆは、竹槍の先端形状にされ、第一の開口部４３ｆの先端側は、ビールが流出するボディ４３の第二の開口部４３ｇから離隔する方向へ伸びている。【選択図】  図２
2005088935.tif 000002
【特許請求の範囲】
【請求項１】
ビールをビール流出口から流出させる状態、ビール泡をビール泡流出路から流出させる状態、又はビールとビール泡とを各流出穴から流出させない状態とに選択的に切替え可能であるビールコックにおいて、
ビールが流入し、ビール又はビール泡が流出するボディが設けられ、
該ボディには、
ビールを流出させるためのビール流出路と、
ビール泡を流出させるためのビール泡流出路と、
が別々に隣接して形成され、
前記ビール泡が流出するビール泡流出路の先端部は嘴形状に形成されていることを特徴とするビールコック。
【請求項２】
ビールをビール流出口から流出させる状態、ビール泡をビール泡流出路から流出させる状態、又はビールとビール泡とを各流出穴から流出させない状態とに選択的に切替え可能であるビールコックにおいて、
ビールが流入し、ビール及びビール泡が流出するボディが設けられ、
該ボディには、
ビールを流出させるためのビール流出路と、
ビール泡を流出させるためのビール泡流出路と、
が別々に隣接して形成されて、ビール泡流出路がビール流出路よりも上方にくるように配置され、
ビール泡流出路の先端部は嘴形状に形成されており、
この先端部の最下部はビール流出路の先端部とは離間する位置にあることを特徴とするビールコック。
【請求項３】
請求項１に記載のビールコックにおいて、
前記ビール泡流出路の先端部の切り口面とビール流出路の先端部の切り口面とのなす角度は、１１０〜１３０℃であることを特徴とするビールコック。
【請求項４】
請求項１に記載のビールコックにおいて、
前記ボディがディスペンサーに固定されている状態において、ビール流出路及びビール泡流出路は垂直方向に対し１５°〜４５°の傾斜を有するものであることを特徴とするビールコック。
【請求項５】
請求項１に記載のビールコックにおいて、
前記ビール泡の流出を止めた後にビール泡流出に残留するビール泡を空気により吹き飛ばすための空気吹出手段が設けられたことを特徴とするビールコック。  
【請求項６】
請求項１に記載のビールコックにおいて、
ビールをビール流出口から流出させる状態、ビール泡をビール泡流出路から流出させる状態、又はビールとビール泡とを各流出穴から流出させない状態とに選択的に切替えるための操作レバーには、
空気収容部と、
この空気収容部とビール泡流出路とを連通する穴が形成され、空気収容部内の空気を圧縮してこの空気を連通する穴を介して前記ビール泡流出路に吹き出すためのプッシュボタンと、
が設けられていることを特徴とするビールコック。
【請求項７】
請求項６に記載のビールコックにおいて、
前記プッシュボタンは空気収容部を外気に開放させる貫通穴を有し、且つ弾圧的に上下移動可能とされていることを特徴とするビールコック。
【発明の詳細な説明】
【技術分野】
【０００１】
本発明は、樽等の容器に収容されているビールをビールジョッキ等に注出する場合に用いられるビールコックに関し、特にビールジョッキ等に注がれたビールの液面をビール泡で覆うことが可能なビールコックに関する。
【背景技術】
【０００２】
従来、樽等の容器に収容されているビールをビールジョッキ等に注出するビールコックとして、ビールジョッキ等に注がれたビールの液面を別途ビール泡で覆うものが知られている（例えば、特許文献１参照）。
【０００３】
図１０は、従来のビールコックの概略を示す説明図である。
このビールコック１は、コック本体部３と操作レバー４とを有している。
コック本体部３は、プラスチック製のボディ５を有している。
ボディ５には、外部に開放された複数の開口部を有する中空部７が形成されている。
【０００４】
中空部７は、ビール流入口８と閉蓋口９とを有する直線状の貫通穴５ａと、この貫通穴５ａと連通する操作レバー挿入穴５ｂ、ビール流出路５ｃ、及びビール泡流出路５ｄと、が形成されている。
そして、この貫通穴５ａには、操作レバー４の基端側に形成された鍵部１１と連結され操作レバー４を前後方向（図中、左右方向）に回動させることで移動が可能な可動部１３が挿入されている。
【０００５】
可動部１３は、ヘッド１５を有している。
ヘッド１５には、小径穴１５ａと大径穴１５ｂが形成されている。
大径穴１５ｂには雌螺子が形成され、この雌螺子には弁棒１７が螺合されている。
弁棒１７には、その閉蓋口９側にカラー１９が螺合されている。
【０００６】
また、弁棒１７には連通穴１７ａが形成され、この連通穴１７ａはカラー１９側が先細り形状にされている。
弁棒１７の操作レバー４側には、パッキン２１が取り付けられた泡弁棒２３が設けられている。
この泡弁棒２３には、操作レバー４の鍵部１１を嵌め込むための鍵穴２３ａが形成されている。
【０００７】
泡弁棒２３の閉蓋口９側にはスプリング２５が設けられ、更に、このスプリング２５の閉蓋口９側には、ボディ５の閉蓋口９側に形成された雌螺子に螺合されるスプリング押さえ２７が設けられている。
そして、ヘッド１５、弁棒１７、カラー１９、パッキン２１、泡弁棒２３、スプリング２５、及びスプリング押さえ２７によって、可動部１３が形成されている。
【０００８】
次に、ビールをビールジョッキ等に注出する操作について説明する。
ビールをビールジョッキ等に注出するに当たっては、先ず、ボディ５に対して直立した操作レバー４を手前（図中、左側）に引く。
すると、鍵部１１はビール流入口８側へ移動し、可動部１３も同方向へ移動する。
そして、ヘッド１５の後端側に取り付けられたパッキン２９が、貫通穴５ａの径が変化する部分である斜面５ｅから離隔し、ビール流入口８とビール流出路５ｃが連通する。
【０００９】
すると、ビールがビール流入口８から流入し、この流入したビールはヘッド１５の周囲を通ってヘッド１５の後端側に流れ込み、ビール流出路５ｃから流出する。
一方、操作レバー４を手前方向と反対側（図中、右側）へ押し込むと、スプリング２５を圧縮させながら鍵部１１が閉蓋口９側へ移動し、パッキン２１が弁棒１７から離隔し、連通穴１７ａとビール泡流出路５ｄとが連通する。
【００１０】
このとき、ヘッド１５の後端側に取り付けられたパッキン２９は、斜面５ｅに当接し拘束されるので、ビールは、ヘッド１５の小径穴１５ａから流入し、弁棒１７の連通穴１７ａへ流入する。
そして、ビールは連通穴１７ａのビール流出側の縮径された部分を通ることにより泡状にされる。この泡状にされたビールは、ビール泡流出路５ｄから流出する。
【００１１】
【特許文献１】特開２００２−２８８６号公報  （図６）
【発明の開示】
【発明が解決しようとする課題】
【００１２】
しかしながら、上述したようなビールコック１では、ビール泡をビール上面に注出させた後、操作レバー４を操作しビール泡の注出を止めても、ビール泡流出路５ｄ内に残留したビール泡が落下するのに時間がかかる欠点がある。
そして更には、ビール泡がビール泡流出路５ｄの下端部に付着したまま残留し、その残留したビール泡が、次にビールジョッキ等にビールを注ぐときに、流出中のビールに引き込まれてビールにビール泡が混入してしまうという問題があった。
【００１３】
本発明は、かかる技術背景をもとになされたもので、上記の従来技術の問題点を克服するためになされたものである。
すなわち、本発明は、ビール泡の落下が効率良く行われ、しかもビールを注いでいる間に残留したビール泡が流出中のビールに混入してしまうことのないビールコックを提供することを目的とする。
【課題を解決するための手段】
【００１４】
すなわち、本発明は、（１）、ビールをビール流出口から流出させる状態、ビール泡をビール泡流出路から流出させる状態、又はビールとビール泡とを各流出穴から流出させない状態とに選択的に切替え可能であるビールコックにおいて、ビールが流入し、ビール又はビール泡が流出するボディが設けられ、該ボディには、ビールを流出させるためのビール流出路と、ビール泡を流出させるためのビール泡流出路と、が別々に隣接して形成され、前記ビール泡が流出するビール泡流出路の先端部は嘴形状に形成されていることに存する。
【００１５】
また、本発明は、（２）、ビールをビール流出口から流出させる状態、ビール泡をビール泡流出路から流出させる状態、又はビールとビール泡とを各流出穴から流出させない状態とに選択的に切替え可能であるビールコックにおいて、ビールが流入し、ビール及びビール泡が流出するボディが設けられ、該ボディには、ビールを流出させるためのビール流出路と、ビール泡を流出させるためのビール泡流出路と、が別々に隣接して形成されて、ビール泡流出路がビール流出路よりも上方にくるように配置され、ビール泡流出路の先端部は嘴形状に形成されており、この先端部の最下部はビール流出路の先端部とは離間する位置にあることに存する。
【００１６】
また、本発明は、（３）、請求項１に記載のビールコックにおいて、前記ビール泡流出路の先端部の切り口面とビール流出路の先端部の切り口面とのなす角度は、１１０〜１３０℃であることに存する。
【００１７】
また、本発明は、（４）、請求項１に記載のビールコックにおいて、前記ボディがディスペンサーに固定されている状態において、ビール流出路及びビール泡流出路は垂直方向に対し１５°〜４５°の傾斜を有するものであることに存する。
【００１８】
また、本発明は、（５）、請求項１に記載のビールコックにおいて、前記ビール泡の流出を止めた後にビール泡流出に残留するビール泡を空気により吹き飛ばすための空気吹出手段が設けられたことに存する。
【００１９】
また、本発明は、（６）、請求項１に記載のビールコックにおいて、ビールをビール流出口から流出させる状態、ビール泡をビール泡流出路から流出させる状態、又はビールとビール泡とを各流出穴から流出させない状態とに選択的に切替えるための操作レバーには、空気収容部と、この空気収容部とビール泡流出路とを連通する穴が形成され、空気収容部内の空気を圧縮してこの空気を連通する穴を介して前記ビール泡流出路に吹き出すためのプッシュボタンと、が設けられていることに存する。
【００２０】
また、本発明は、（７）、請求項６に記載のビールコックにおいて、前記プッシュボタンは空気収容部を外気に開放させる貫通穴を有し、且つ弾圧的に上下移動可能とされていることに存する。
なお、本発明の目的に添ったものであれば、上記各請求項を適宜組み合わせた成も採用可能である。
【発明の効果】
【００２１】
本発明は、ボディにビールを流出させるためのビール流出路と、ビール泡を流出させるためのビール泡流出路とが別々に隣接して形成され、ビール泡が流出するビール泡流出路の先端部は嘴形状に形成されているため、その最下部から効率良くしかもスムーズにビール泡が落下することができる。
【００２２】
また、最下部にビール泡が残留していても、次のビールの注入時、ビール流出路から流出するビールに引き込まれて混入されることはない。
また、ビール泡の流出を止めた後にビール泡流出穴に残留するビール泡を空気により吹き飛ばすための空気吹出手段が設けられることで、ビール泡流出路の最下部にあるビール泡は、勿論、ビール泡流出路の内部にビール泡が残っているとしても、ビール泡流出路から完全に排出される。
【発明を実施するための最良の形態】
【００２３】
以下、本発明を実施するための最良の形態を図面に基づいて説明する。
（第一実施形態）
図１は、本発明の第一実施形態に係るビールコックが取り付けられたディスペンサーを示した概略図である。
【００２４】
ディスペンサー３１には、その正面側にビールコック３３が設けられ、その下方には、ビールを注ぐ際、ビールジョッキ３７等を載置するための台３５が設けられている。
【００２５】
このビールコックは、操作レバー３９を操作することで、原則的にビールをビール流出口から流出させる状態、ビール泡をビール泡流出路から流出させる状態、及びビールとビール泡とを各流出穴から流出させない状態とに選択的に切替え可能となっている。
【００２６】
次に、図２を用いてビールコック３３の詳細について説明する。
ビールコック３３は、コック本体部４１と操作レバー３９とを有している。
先ず、コック本体部４１について説明する。
【００２７】
コック本体部４１は、中空のボディ４３を有しており、ボディ４３には、前後及び上下方向に開口部を有する中空部４５が形成されている。
具体的に、この中空部４５は、互いに連通するビール流入口４７と閉蓋口４９とを有する直線状の貫通穴４３ａと、この貫通穴４３ａと連通する操作レバー挿入穴４３ｂ、ビール流出路４３ｃ、及びビール泡流出路４３ｄとよりなる。
【００２８】
ビール流出路４３ｃは、ビール泡流出路４３ｄと別々に隣接して形成され、且つビール泡流出路４３ｄよりも後方に（ビール流入口側に）形成されている。    
また、ビール流出路４３ｃの方向（流出穴の中心線方向）及びビール泡流出路４３ｄの方向（流出穴の中心線方向）は、ビールやビール泡を的確に注出する際の流線の観点から垂直方向（図中、上下方向）に対し１５°〜４５°の範囲で傾けられていることが好ましい。
【００２９】
ビール泡が流出するビール泡流出路４３ｄの先端部４３ｆは嘴形状に形成されており、この先端部４３ｆの最下部４３ｆ１はビール流出路４３ｃの先端部４３ｇとは離間する位置にある。
換言すれば、ビール泡流出路４３ｄの先端部４３ｆの切り口面４３ｈとビール流出路４３ｃの先端部４３ｇの切り口面４３ｉとのなす角度θは、例えば１１０〜１３０°が好ましい。
【００３０】
このような範囲であると、後述するように、最下部４３ｆ１にビール泡が残留していても、次のビールの注入時、ビール流出路４３ｃから流出するビールに引き込まれて混入されることはなく、またビールを落下させる効率（ビール誘導落下効果）も充分確保できる。
例えば、特にθ＝１２０°とした場合は、著しい効果があることを実験で確認している。
【００３１】
貫通穴４３ａには、可動部５０が装着されており、この可動部５０は、操作レバー３９の基端側に形成された鍵部５７ａと連結され操作レバー３９の前後方向の回動により前後移動（図中、左右方向）する。
ここで可動部５０は、前後が先細り形状をした例えばステンレス製のヘッド５１を有している。
このヘッド５１には、小径穴５１ａとそれより拡径された大径穴５１ｂが形成されている。
【００３２】
また、ヘッド５１の前端側には、円環状のパッキン５３が設けられている。このパッキン５３がボディ４３の内壁の傾斜面４３ｅに当接する。
ヘッド５１の大径穴５１ｂには、例えばステンレス製の弁棒５２が螺着されている。
弁棒５２は、後端側の小径部５２ａと前端側の拡径された大径部５２ｂを有する。
【００３３】
大径部５２ｂには、操作レバー３９を挿入可能な長方形状の貫通穴５２ｅが、形成されており、この貫通穴５２ｅに、例えばステンレス製の泡弁棒５５が挿入されている。
因みに、ビール泡は連通穴５２ｄからこの貫通穴５２ｅを介してビール泡流出路４３ｄへ流れる。
【００３４】
弁棒５２には、連通穴５２ｄが形成され、この連通穴５２ｄは突起部５２ｃの部分で縮径されて貫通穴５２ｅに開放される。
泡弁棒５５の後方には、弁棒５２の突起部５２ｃに当接しビール泡の流れを止めるためのパッキン５６が設けられている。
この泡弁棒５５には、操作レバー３９のハンドル心棒５７の鍵部５７ａを嵌め込むための鍵穴５５ａが形成されている。
【００３５】
また、泡弁棒５５の前方空所にはスプリング押さえ６０が螺着されており、この前方空所にはスプリング５９が配設されている。
そのため、このスプリング５９により泡弁棒５５が後方（図２でいう右方）に付勢された状態となる。
【００３６】
そして、ヘッド５１、弁棒５２、パッキン５３、泡弁棒５５、パッキン５６、スプリング５９、及びスプリング押さえ６０とは、一体化して移動する可動部５０となっている。
【００３７】
次に、図３を用いて、操作レバー３９について説明する。この操作レバー３９には、ビール泡の流出を止めた後にビール泡流出路４３ｄに残留するビール泡を、勢い良く排出する空気で吹き飛ばすための吹出手段が備わっている。
操作レバー３９は、例えばプラスチック製の筒状のグリップ６１を有しており、その下にはハンドル台座６３が一体的に固定されている。
ハンドル台座６３の基端側は末広がりになっており、その外周面には滑止め溝６３ａが形成されている。
【００３８】
グリップ６１及びハンドル台座６３には、ハンドル心棒５７が嵌合又は螺合により固定されている。
ハンドル心棒５７の鍵部５７ａは、鍵穴形状をしており、且つ平板状である。
鍵部５７ａの上方には球状部５７ｂが形成されており、この球状部５７ｂにより、操作レバー３９はボディ４３に取り付けられた場合、前後方向にスムーズに回動させることができる。
【００３９】
ハンドル台座６３と球状部５７ｂとの間には、椀状の袋ナット６５が遊挿されている。この袋ナット６５の内側には雌螺子が形成され、ボディ４３の操作レバー挿入穴４３ｂの周囲に螺合される。
このように遊挿された袋ナット６５を介してグリップ６１がボディ４３に簡単に固定される。
袋ナット６５の外周面には、指で袋ナット６５を回転させてボディ４３に螺合することができる際、滑らないように滑止め溝６５ａが形成されている。
【００４０】
図４は、図３のＡ−Ａ線に沿う断面図である。
ハンドル心棒５７には、その長手方向に沿って貫通穴５７ｃが形成されている。ハンドル台座６３は、グリップ６１に螺着され、グリップ６１の貫通穴６１ａとハンドル心棒５７の貫通穴５７ｃとは連通されている。
また、グリップ６１の貫通穴６１ａは座繰り穴６１ｂと連通され、座繰り穴６１ｂは、それより連続拡大して形成される座繰り穴６１ｃと第一逆止弁６７を介して連通されている。
【００４１】
また、グリップ蓋体７２がグリップ６１の上端に螺着されており、このグリップ蓋体７２にプッシュボタン７０が弾圧的に上下移動自在に貫挿されている。
プッシュボタン７０の下方にはフランジ部７０ｂが形成され、このフランジ部７０ｂとグリップ蓋体７２との間にはＯリング７１が設けられている。
【００４２】
プッシュボタン７０のフランジ部７０ｂには第二逆止弁６９が備わっており、この第二逆止弁６９と第一逆止弁６７との間にはスプリング６８が配設されており、このスプリング６８により、プッシュボタン７０は弾圧的に上下移動する。
【００４３】
いま、プッシュボタン７０の上面を指で押さえて下方に押し下げると、貫通穴７０ａは第二逆止弁６９により閉じられているために、プッシュボタン７０と座繰り穴６１ｃとから形成される空気収容部、すなわち空間７３の空気が圧縮され、第一逆止弁６７（下方にのみ空気を移動させる）から空気が排出される。
この排出された空気は、順次、連通する各穴、すなわち座繰り穴６１ｂ、貫通穴６１ａ、貫通穴５７ｃを通って、ハンドル心棒５７の先端から排出される。
【００４４】
一方、プッシュボタン７０の移動を止めると、第一逆止弁６７は閉状態になり空気が排出されなくなる。
更に、指を離してプッシュボタン７０への付勢を解除すると、圧縮されたスプリング６８の復元力によりプッシュボタン７０は、上方へ移動する。
このとき、空気収容部である空間７３は負圧化するために、第二逆止弁６９は開状態となる。
【００４５】
空気収容部は貫通穴７０ａにより外気に開放されていることから、その負圧を修正するように外気が貫通穴７０ａを通って空間７３に容易に導入される。
ここでコック本体部４１と操作レバー３９との組付け方法について説明する。
【００４６】
先ず、ヘッド５１にパッキン５３を取り付け、弁棒５２をヘッド５１に螺合し一体化する。次いで、泡弁棒５５を弁棒５２の大径部５２ｂに挿入する。このとき、泡弁棒５５に形成された鍵穴５５ａと大径部５２ｂに形成された貫通穴５２ｅとが同方向を向くようにする。
次いで、スプリング５９を挿入してから、スプリング押さえ６０を大径部５２ｂに形成された雌螺子に螺合させる。
これで可動部５０が組み付けられたこととなる。
なお、スプリング押さえ６０を螺合する際に、鍵穴５５ａの貫通穴５２ｅに対する相対位置がずれないように注意する。
【００４７】
次いで、可動部全体をコック本体部４１の後方から（ビール流入口４７側から）ボディ４３の貫通穴４３ａに挿入する。
このとき、鍵穴５５ａの方向が操作レバー挿入穴４３ｂの方向を向くようにする。
【００４８】
次いで、操作レバー３９のハンドル心棒５７の鍵部５７ａを、コック本体部４１の操作レバー挿入穴４３ｂに上方から挿入して鍵穴５５ａに係合させる。
最後に、コック本体部４１の操作レバー挿入穴４３ｂ付近に操作レバー３９の袋ナット６５を螺合させることで、コック本体部４１と操作レバー３９との組付けが完了する。
【００４９】
さて次に、１）ビール注出持、２）ビール泡注出持、３）ビール泡注出後、及び４）ビール泡吹出持の４つの場合におけるビールコック３３の操作及び作用にについて説明する。
【００５０】
［ビール注出時］
図５は、ビール注出時のビールコック３３の状態及びビールの流れについて示している。
図に示すように、操作レバー３９を手前に（前方に）引き１０°程度傾けると、ハンドル心棒５７の鍵部５７ａは、操作レバー３９を引いた方向と反対方向に移動することとなる。
【００５１】
すると、可動部５０は後方に（すなわちビール供給部７５側に）移動し、パッキン５３は、ボディ４３の内壁面４３ｅから瞬時、離隔する。
そのためディスペンサー３１のビール供給部７５からビール注入口４７へビールが流入する。
この流入したビールは、順次、ヘッド５１、パッキン５３、及び弁棒５２の周囲を通過し、ビール流出路４３ｃから流出される（矢印参照）。
【００５２】
［ビール泡注出時］
図６は、ビール泡注出時のビールコック３３の状態並びにビール及びビール泡の流れについて示している。
図に示すように、今度は、操作レバー３９を後方へ１０°程度傾けると、ハンドル心棒５７の鍵部５７ａは、操作レバー３９を引いた方向と反対方向に移動する。
【００５３】
すると、鍵部５７ａに嵌まり合う泡弁棒５５は、スプリング５９を圧縮する方向へ移動する。
このとき、弁棒５２は、ビール供給部７５にあるビールの液圧によってパッキン５３がボディ４３の傾斜面４３ｅに圧接した状態になっているから、泡弁棒５５に取り付けられたパッキン５６は、弁棒５２の突起部５２ｃから瞬時、離隔する。
【００５４】
そのため、ビール供給部７５からヘッド５１の小径穴５１ａにビールが流入する。
ここで流入したビールは、大径穴５１ｂを通って弁棒５２の貫通穴５２ｅに流入し、突起部５２ｃ付近で縮径された流路を通ってパッキン５６に衝突することにより泡状にされる。
そして、この泡状にされたビール泡７７は、鍵穴５５ａ、貫通穴５２ｅを通って、ビール泡流出路４３ｄから流出する。
【００５５】
［ビール泡注出後］
図７は、ビール泡注出後のビールコック３３及びビール泡７７の状態を示している。
ビール泡７７をビールジョッキ等に注出した後、操作レバー３９から手を離すと圧縮されたスプリング５９の復元力により、操作レバー３９は、ボディ４３に対して直立した状態に戻る。
【００５６】
すると、突起部５２ｃとパッキン５６とが当接し、そのため、ビール供給部７５からビールコック３３へのビールの供給が止まる。
ここでビール泡流出路４３ｄに存在するビール泡７７は重力により徐々に下降する。
その際、ビール泡流出路４３ｄの先端部４３ｆが嘴形状となっているために、その最下部４３ｆ１から効率良くしかもスムーズにビール泡７７が落下することができる。
【００５７】
ビール泡流出路４３ｄの最下部４３ｆ１に溜まっているビール泡７７が落下すると、一時的にビール泡７７の溜まりが無くなるが、またすぐにビール泡流出路４３ｄ内に存在するビール泡７７がビール泡流出路４３ｄの最下部４３ｆ１に下降して溜る。
このような現象が繰り返されるが、上述したように、ビール泡流出路４３ｄの先端部が嘴形状に形成されているため、ビール泡７７は最下部４３ｆ１から効率良く落下する。
【００５８】
しかし、最後になってもビール泡流出路４３ｄの最下部４３ｆ１には落下せずに残っているビール泡７７が少しではあるが存在する。
［ビール泡吹き飛ばし時〕
図８は、ビール泡７７を吹き飛ばしている状態を示している。
【００５９】
前述したように、ビール泡７７の注出後にビール泡７７は、ビール泡流出路４３ｄに残留する。
しかし、プッシュボタン７０を下方に押し込むことで、空気が排出されてその残留したビール泡７７を吹き飛ばすことができる。
すなわち、プッシュボタン７０を押すことで、空気収納部である空間７３内の空気が圧縮され、座繰り穴６１ｂ、貫通穴６１ａ、及び貫通穴５７ｃを通ってハンドル心棒５７の先端から空気が排出される。
【００６０】
そのため、ビール泡流出路４３ｄの最下部４３ｆ１にあるビール泡７７は、勿論、ビール泡流出路４３ｄの内部にビール泡７７が残っているとしても、ビール泡流出路４３ｄから完全に排出されるのである。
一回のプッシュボタン７０の押込みでは、完全にビール泡７７が除去されない場合は、複数回プッシュボタン７０を押し込むことで、ビール泡流出路４３ｄ内のビール泡７７は完全に除去可能である。
なお、プッシュボタン７０を押し込んだ場合の具体的作用については既に述べた。
【００６１】
以上述べたように本発明の第一実施形態によれば、ビールを流出させるためのビール流出路４３ｃがビール泡流出路４３ｄとは別個に形成されており、またビール泡流出路４３ｄの先端が嘴形状に形成されているため、ビール泡７７は容易に落下し易く、また、例え、その最下部４３ｆ１にビール泡７７が残留していても、次にビールジョッキにビールを注ぐときにビール流出路４３ｃから流出されるビールと共にそのビール泡７７が流されビールに混入してしまうような問題が生じることはない。
【００６２】
しかしながら、何かの拍子で、ビール泡流出路４３ｄの奥の方に残留したビール泡７７が不用意に垂れてくる場合があっても、プッシュボタン７０を押すことにより空気をビール泡流出路４３ｄに通すことができ、これによってそのような奥に残っているビール泡７７も排出されることとなる。
【００６３】
また、操作レバー３９を一方の手の４本の指で把持しながらプッシュボタン７０を押すことができるので、ビールの流出、ビール泡７７の流出と、更にはビール泡７７の除去という一連の流れを手軽且つ迅速に行うことができる。
【００６４】
（第二実施形態）
この第二実施形態は、操作レバーの構造が第一実施形態と異なっているものである。
そのため、操作レバーの構造についてのみ説明することとする。
なお、第一実施形態と同一の構成部材には同一の符号を付する。
【００６５】
図９は、本発明の第二実施形態のビールコックの操作レバー３９Ａを示している。操作レバー３９Ａは、ハンドル心棒５７を有している。
ハンドル心棒５７には、その長手方向に沿って貫通穴５７ｃが形成されている。
ハンドル台座６３は、グリップ６１に嵌合され、グリップ６１の貫通穴６１ａとハンドル心棒５７の貫通穴５７ｃとは、一直線上に連通している。
【００６６】
グリップ６１の貫通穴６１ａは座繰り穴６１ｂと連通され、座繰り穴６１ｂはグリップ６１の上端から形成される座繰り穴６１ｃと連通されている。
座繰り穴６１ｃの底部には逆止弁７９が配設されており、座繰り穴６１ｂはこの逆止弁７９により閉蓋されている。
【００６７】
グリップ６１には、前述のプッシュボタンに相当する中空のゴム部材８１が設けられている。
ゴム部材８１の天頂には、空気穴８１ａが形成されている。
そして、空気穴８１ａを指で押さえながらゴム部材８１を握り絞めると、ゴム部材８１内の空気収容部である空間８２の空気が圧縮され、逆止弁７９から空気が排出される。
この排出された空気は、順次、座繰り穴６１ｂ、貫通穴６１ａ，５７ｃを通って、ハンドル心棒５７の先端から勢い良く排出される。
【００６８】
一方、ゴム部材８１の握り絞めを停止すると、逆止弁７９は閉状態になり空気が排出されなくなる。
また、ゴム部材８１から手を離すと、空気穴８１ａから空気が流入し、空間８２に空気が充填される。
ゴム部材８１を何回も握りしめることで、空気の排出は何度でも可能である。
【００６９】
本発明の第二実施形態によれば、グリップ６１の先端側にゴム部材８１が設けられ、このゴム部材８１を握り絞めることにより、空間８２内の空気が排出され、座繰り穴６１ｂ、貫通穴６１ａ，５７ｃを通ってビール泡流出路４３ｄに排出される。そのため、プッシュボタン７０を用いる場合のような複雑な構造を必要としない。
【００７０】
以上、本発明を説明したが、本発明は実施の形態に限定されることはなく、その目的に沿う限り種々の変形例が可能である。
上述した第一実施形態では、機械的に空気吹出手段が機能する例について説明したが、ビール泡を排出した後、操作レバーが元の位置に戻ると、自動的にビール泡流出路に空気が排出される構成にしても良い。
【００７１】
例えば、操作レバーが元の位置に戻ると、電磁弁が作動し、空気を排出するようにしても良い。
また、操作レバー、コック本体部の各部材等の材質は、それらの作動が可能中限り種々のものが採用できる。
【図面の簡単な説明】
【００７２】
【図１】本発明の第一実施形態に係るビールコックが取り付けられたディスペンサーを示す説明図である。
【図２】図１のビールコックの詳細を示す説明図である。
【図３】図２の操作レバーの詳細を示す説明図である。
【図４】図３のＡ−Ａ線に沿う断面図である。
【図５】ビール注出持のビールコックの状態及びビールの流れを示す説明図である。
【図６】ビール泡注出持のビールコックの状態及びビールの流れを示す説明図である。
【図７】ビール泡注出後のビールコック及びビール泡の状態を示す説明図である。
【図８】ビール泡を吹き出している状態を示す説明図である。
【図９】本発明の第二実施形態に係るビールコックの操作レバーを示す説明図である。
【図１０】従来のビールコックの概略を示す説明図である。
【符号の説明】
【００７３】
３３…ビールコック
３９，３９Ａる…操作レバー
４３…ボディ
４３ｃ…ビール流出路
４３ｄ…ビール泡流出路
４３ｅ…ビール流出路
４３ｆ…先端部
４３ｆ１…最下部
４３ｇ…先端部
４３ｈ…切り口面
４３ｉ…切り口面
５７ｃ，６１ａ…貫通穴
６１ｂ，６１ｃ…座繰り穴
６８…スプリング
７０…プッシュボタン
７２…グリップ蓋体
７３，８２…空気収納部（空間）
７７…ビール泡
８１…ゴム部材
【図１】
2005088935.tif 000003
【図２】
2005088935.tif 000004
【図３】
2005088935.tif 000005
【図４】
2005088935.tif 000006
【図５】
2005088935.tif 000007
【図６】
2005088935.tif 000008
【図７】
2005088935.tif 000009
【図８】
2005088935.tif 000010
【図９】
2005088935.tif 000011
【図１０】
2005088935.tif 000012